(57)【特許請求の範囲】
【請求項１】
プラグソケット（８０）とプラグ（１０）とから成るプラグコネクタにおいて、１つの構造群（４６）にまとめられている多数のシグナルコンタクト（４８）と、同様に１つの構造群（１６）にまとめられている多数のパワーコンタクト（１４）とを有しており、該パワーコンタクト構造群（１６）が、圧接結線（３６）を備えたケーシング（１８）と、ケーブル受容開口（２４）を備えたケーブルガイド（２２）とを有しており、該ケーブルガイド（２２）がケーシング（１２）に旋回可能に取り付けられていて、それによって、ケーブル受容開口（２４）内にケーブル（４２）が挿入される開放された位置と、ケーブルが圧接結線（３６）内に押し込まれる閉鎖された位置との間で旋回可能であって、シグナルコンタクト構造群（４６）がＲＪ４５−プラグであることを特徴とする、プラグコネクタ。
【請求項２】
ケーブルガイド（２２）が、フィルムヒンジ（３２）によってケーシング（１２）と結合されている、請求項１記載のプラグコネクタ。
【請求項３】
パワーコンタクト（１４）が突起を備えていて、該突起が、工具（４４）のための対応受け（４０）を形成しており、この対応受け（４０）によってケーブルガイド（２２）が閉じた位置にもたらされるようになっている、請求項１又は２記載のプラグコネクタ。
【請求項４】
各圧接結線（３６）のためにそれぞれ１つのケーブルガイド（２２）が設けられている、請求項１から３までのいずれか１項記載のプラグコネクタ。
【請求項５】
すべての圧接結線のために１つのケーブルガイドが設けられている、請求項１から３までのいずれか１項記載のプラグコネクタ。
【請求項６】
ケーブルガイドに突起が設けられており、この突起がケーシング（１２）の開口に係合し、それによってケーブルガイドが閉じた位置で係止される、請求項１から５までのいずれか１項記載のプラグコネクタ。
【請求項７】
ケーシングに係止タブが設けられており、この係止タブがケーブルガイドに係合して、ケーブルガイドが閉じた位置で係止されるようになっている、請求項１から５までのいずれか１項記載のプラグコネクタ。
【請求項８】
ケーブルガイド（２２）が支持突起（９６）を備えており、該支持突起（９６）が所属の支持リブ（９８）に当接する、請求項１から５までのいずれか１項記載のプラグコネクタ。
【請求項９】
プラグ（１０）がプラグケーシング（１２）を有しており、該プラグケーシング（１２）内に、シグナルコンタクト構造群（４６）とパワーコンタクト構造群（１６）とが受容されている、請求項１から８までのいずれか１項記載のプラグコネクタ。
【請求項１０】
シグナルコンタクト構造群（４６）が圧接結線（５４）を備えていて、ケーブルガイド部（５６）を有しており、該ケーブルガイド部（５６）によって、接続しようとする導線（６０）が圧接結線（５４）内に押し込まれるようになっている、請求項１から９までのいずれか１項記載のプラグコネクタ。
【請求項１１】
圧縮ばね（６８）が設けられており、該圧縮ばね（６８）がケーブルガイド部（５６）を圧接結線（５４）に押し付ける、請求項１０記載のプラグコネクタ。
【請求項１２】
シールド（６６）が設けられており、該シールド（６６）がシグナルコンタクト構造群（４６）を包囲している、請求項１から１１までのいずれか１項記載のプラグコネクタ。
【請求項１３】
シールド（６６）がその後ろ側で、ケーブルの遮蔽編組（７６）に係合する折り畳みタブ（７６）を備えている、請求項１２記載のプラグコネクタ。
【請求項１４】
プラグケーシング（１２）が少なくとも１つの保持タブ（７７）を備えており、該保持タブ（７７）によって、シグナルコンタクト構造群（４６）若しくはパワーコンタクト構造群（１６）がケーシング（１２）内に係止される、請求項１から１３までのいずれか１項記載のプラグコネクタ。
【請求項１５】
プラグソケット（８０）がソケットケーシング（８６）を有しており、該ソケットケーシング（８６）内にＲＪ４５プラグソケット（８８）が配置されていて、コンタクトばねがパワーコンタクトに配属されている、請求項１から１４までのいずれか１項記載のプラグコネクタ。
【請求項１６】
コンタクトばねが共通のケーシング内に配置されており、それによってコンタクトばね構造群（９０）が形成されている、請求項１５記載のプラグコネクタ。
【発明の詳細な説明】
【０００１】
【発明の属する技術分野】
本発明は、プラグソケットとプラグとから成るプラグコンタクトに関する。
【０００２】
【従来の技術】
プラグコンタクトは種々異なる構成のものが公知である。例えば、プラグコンタクトはデータ伝達のために使用される。典型的な例としては、型式ＲＪ４５のネットワークプラグである。プラグコネクタは、パワー伝達のためにも、つまりプラグコネクタによって接続された電気機器にエネルギーを供給するためにも使用される。
【０００３】
【発明が解決しようとする課題】
本発明の課題は、シグナル伝達のためにも、またパワー伝達のためにも適していて、パワー伝達のために使用されるケーブルを安価な費用で接続することができるようなプラグコネクタを提供することである。
【０００４】
【課題を解決するための手段】
この課題を解決した本発明によれば、プラグコネクタが、１つの構造群にまとめられている多数のシグナルコンタクトと、同様に１つの構造群にまとめられている多数のパワーコンタクトとを有しており、該パワーコンタクト構造群が、圧接結線を備えたケーシングと、ケーブル受容開口を備えたケーブルガイドを有しており、該ケーブルガイドがケーシングに旋回可能に取り付けられていて、それによって、ケーブル受容開口内にケーブルが挿入される開放された位置と、ケーブルが圧接結線内に押し込まれる閉鎖された位置との間で旋回可能であって、シグナルコンタクト構造群がＲＪ４５−プラグである。
【０００５】
【発明の効果】
このような構成によれば、高価な工具を使用することなしに接続しようとするケーブルを現場でパワーコンタクトに接続することが可能であり、前もって製造されたケーブルを必要とすることはない。２つの構造群は、互いに並んでプラグの１つのプラグケーシング内に配置することができるので、特にコンパクトな構造が得られる。シグナル伝達のためには特にＲＪ４５プラグ（ＲＪ４５ｐｌｕｇ）が使用される。パワー伝達のために、プラグソケット内のコンタクトばねに係合して１０Ａまでの電流の伝達を可能にするコンタクトが使用される。
【０００６】
有利には、ケーブルガイドは、フィルムヒンジによってケーシングと結合されている。これは、ケーシング及びケーブルガイドがプラスチックより成っていれば、簡単な型式でケーシング及びケーブルガイドを流し込み成型によって形成することができ、リンクピンとリンクピン受容部とから成る従来のリンクを使用する必要はない。
【０００７】
さらに有利には、パワーコンタクトが突起を備えていて、該突起が、工具のための対応受けを形成しており、この対応受けによってケーブルガイドが閉じた位置にもたらされるようになっている。対抗受けで支持された工具例えばねじ回しによって、手によってケーブルガイドに加える力よりも著しく強い力をケーブルガイドに加えることができる。これは、パワー伝達のために用いられるケーブルが比較的大きい横断面を有しているので、パワーコンタクトの圧接結線内に侵入させることが比較的困難であるために、特に有利である。
【０００８】
ケーブルがパワーコンタクトの圧接結線内に押し込まれる閉鎖位置においてケーブルガイドを係止するために、例えば、ケーブルガイドが閉鎖位置にある時にケーシングの開口に係合する突起をケーブルガイドに設けるか、又はケーブルガイドが閉鎖された位置にある時にケーブルガイドに係合する係止タブをケーシングに設けることができる。
【０００９】
本発明の有利な実施例によれば、シグナルコンタクト構造群が圧接結線を備えていて、ケーブルガイド部を有しており、該ケーブルガイド部によって、接続しようとする導線が圧接結線内に押し込むことができるようになっている。このような型式で、接続しようとするケーブルを高価な工具を用いることなしに、現場でシグナルコンタクトに接続することができる。前もって完成されたケーブルを使用する必要はない。
【００１０】
本発明の有利な実施例は従属請求項に記載されている。
【００１１】
【発明の実施の形態】
次に本発明の実施の形態を図示の実施例を用いて具体的に説明する。
【００１２】
図１にはプラグコネクタ５が示されており、このプラグコネクタ５によってケーブル６が、接続しようとする装置７に接続されている。プラグコネクタ５は、プラグ１０とプラグソケット８０とから成っている。プラグソケット８０はねじ８２によって装置７に固定されていて、ロックレバー８４を有しており、このロックレバー８４によってプラグ０はプラグソケット８０に錠止（ロック）されるようになっている。
【００１３】
プラグ１０はプラグケーシング１２を有していて、このプラグケーシング１２内に多数のパワーコンタクト１４が配置されている（図２参照）。パワーコンタクト１４は、１つのパワーコンタクト構造群１６にまとめられている。このために、パワーコンタクト１４は、パワーコンタクトケーシング１８内に配置されており、このパワーコンタクトケーシング１８は図４及び図５に示されている。
【００１４】
ケーシング１８は、各パワーコンタクトのためにそれぞれ１つのコンタクト室２０を有しており、このコンタクト室２０は長手方向で両側が開放している。ケーシング１８には多数のケーブルガイド２２が配置されていて、これらのケーブルガイド２２は各１つのコンタクト室２０に配属されている。各ケーブルガイド部２２は、ケーブル受容開口２４を有しており、このケーブル受容開口２４はストッパ２６で終わっている。ケーブル受容開口２４内には多数の引張負荷軽減溝２８が形成されている。さらに、4ケーブル受容開口２４の長手方向に対して直交する方向に延在する切欠３０が設けられている。
【００１５】
ケーブルガイド２２は、フィルムヒンジ３２によって、つまりケーシング及びケーブルガイドに一体的に構成された薄いフレキシブルな材料ウエブによってケーシング１８に接続されているので、図４に図示した位置から図４ｃの矢印Ｐで示した方向に上方旋回せしめられる。
【００１６】
各コンタクト室２０内にはそれぞれ１つのパワーコンタクト１４が配置されており、このパワーコンタクト１４は圧接結線３６とプラグ区分３８とを有している。パワーコンタクト１４には対応受け４０が設けられており、この対応受けの機能について以下に図６ａ〜図６ｆを用いて説明する。
【００１７】
パワー伝達心線４２を接続するために、このパワー伝達心線４２は、開放されたケーブルガイド２２において（図６ａ参照）、ストッパ２６に当接するまでケーブル受容開口２４内に挿入される。次いで工具４４（図示の実施例ではねじ回し）を、その先端がパワーコンタクト１４の対抗受け４０で支持されるように（図６ｃ参照）、当てつける。工具４４を、図６ｃ〜図６ｅの矢印Ｐ方向で旋回させることによって、ケーブルガイド２２は、フィルムヒンジ３２によって規定された旋回中心点を中心にして上方へ移動せしめられ、この場合、ケーブル受容開口２４内に配置された心線４２が圧接結線３６内に押し込まれる。この際に圧接結線３６はケーブルガイド２２の切欠３０内に侵入する。ケーブルガイド２２は工具４４で平らに支えられ、工具は対応受け４０で支えられるので、ケーブルガイドは旋回時に良好にガイドされ、フィルムヒンジ３２に比較的小さい力が作用する。
【００１８】
図６ｆでは、ケーブルガイド２２がその上方に旋回せしめられた閉鎖した位置が示されている。この閉鎖した位置で、心線４２は圧接結線３６内に押し込まれるので、心線４２の絶縁部は圧接結線によって切り開かれて、内側に位置する導線が電気的に接触される。ケーブルガイド２２内の引張負荷軽減溝２８は、心線４２を圧接結線３６から抜き出す抵抗を高める。
【００１９】
圧接結線３６を使用することによって、パワー伝達のために用いられる心線は安価な費用でパワーコンタクト構造群に接続することができる。パワーコンタクト構造群１６は、パワーコンタクト１４を挿入すると完全に前組立状態となり、ケーブルガイド２２はフィルムヒンジ３２に基づいて紛失することなく固定される。接続しようとする心線４２は、正確な長さで切断するだけでよい。パワーコンタクトに接続する前に絶縁被覆を剥がす作業は必要ない。しかも、心線４２をケーブルガイド２２によって圧接結線３６内に押し込むために特別な工具は必要ない。心線４２が小さい横断面を有していれば、ケーブルガイド２２は手によって開放位置から閉鎖位置に押し込むことができる。
【００２０】
図２に示されているように、プラグケーシング１２にはパワーコンタクト構造群１８に隣接して、シグナルコンタクト構造群４６が配置されており、このシグナルコンタクト構造群４６は、図示の実施例では４つのシグナルコンタクト４８を有している。シグナルコンタクト４８は、シグナルコンタクトケーシング５０内に受容されており、このシグナルコンタクトケーシング５０の詳細な図７ａに示されている。
【００２１】
シグナルコンタクトケーシング５０はそのプラグ側が型式ＲＪ４５のプラグとして構成されている。またケーシングはその後ろ側に、拡開された受容室５２を有しており、この受容室５２内にシグナルコンタクト４８の圧接結線５４が延在している。受容室５２内にケーブルガイド部５６を挿入することができる。このケーブルガイド部は多数のケーブルガイド開口５８を備えている。各ケーブルガイド開口はそれぞれ１つの圧接結線５４に配属（対応配置）されていて、その後ろ側（この後ろ側から接続しようとするシグナル伝達心線６０が侵入する）で、まず軸方向に延びる真っ直ぐな区分を有し、次いで斜めに延びる区分、次いで再び軸方向に延びる真っ直ぐな区分を有している。さらにスリット６２が設けられており、このスリット６２は軸方向に延びていて、ケーブルガイド開口５８の斜めに延びる区分の領域内でこのケーブルガイド開口５８を切断している。
【００２２】
シグナル伝達心線６０を接続するために、このシグナル伝達心線６０は、前もって絶縁被覆を剥がすことなしに、ケーブルガイド部のケーブルガイド開口５８内に挿入される。次いでケーブルガイド部５６は受容室５２内に挿入され、この際に、各圧接結線５４がケーブルガイド部５６に形成されたスリット６２内に侵入する。固定ねじ６４を引き締めることによって、ケーブルガイド部５６は、圧接結線５４が心線６０の絶縁部を切り裂いて、内側に位置する導線に接触するまで、受容室５２内に引き込まれる。この状態は図７ｂに示されている。
【００２３】
心線６０が接触せしめられると、ケーシング５０は金属製のシールド６６内に挿入され、このシールド６６内で係止される（図７ｃ参照）。次いで、ケーブルガイド部５６で支えられた圧縮ばね６８が挿入され、この圧縮ばね６８はその他方の端部がカバー７０で支えられる（図７ｄ参照）。次いで、シールド６６の２つの折り畳みタブ７２が図７ｅの矢印Ｐ方向で折り曲げられ、それによってシールド６６はケーシング５０のケーブル入口側を閉鎖する。折り畳みタブ７２はその自由端部で、折り曲げられたコンタクトタブ７４を備えており、このコンタクトタブ７４は、シグナル伝達心線６０を包囲する遮蔽編組７６に係合することができる。このような形式で最小の費用で、シグナルコンタクト構造群４６の完全な遮蔽が得られる。
【００２４】
図８ａ〜図８ｃには、パワーコンタクト構造群１６とシグナルコンタクト構造群４６とがプラグケーシング１２内にどのように配置されているかについて説明されている。２つの構造群は互いにフラットに重ね合わされてプラグケーシング１２内に挿入され、この際に、プラグケーシング１０における保持タブ７７は係止タブ７８と一緒にパワーコンタクト構造群及び／又はシグナルコンタクト構造群において、これらをプラグケーシング１２内で係止するために使用される。プラグケーシング１２の後ろ側には従来のケーブル固定部７９が取付けられており、このケーブル固定部７９はケーブル６に関連したシール及び引張負荷軽減を保証する。
【００２５】
図３に示されているように、プラグソケット８０はソケットケーシング８６を備えており、このソケットケーシング８６内には、シグナルコンタクト−プラグソケット８８並びにコンタクトばね構造群９０が配置されている。シグナルコンタクト−プラグソケット８８は、シグナルコンタクト構造群４６のプラグ側を受容するために設けられていて、コンタクトばね構造群９０は、パワーコンタクト構造群１６のプラグ区分２８を受容するために設けられている。
【００２６】
図９から図１１には、プラグ１０がプラグソケット８０内に差し込まれた時の、プラグコネクタ５の内側が示されている。図９に示されているように、シグナルコンタクト−プラグソケット８８は、プリント基板９２上に配置されており、このプリント基板９２は、シグナルコンタクトを介して伝達された信号、並びにパワーコンタクトを介して伝達された電流をさらに伝達するために用いられる。図１１に示されているように、シグナルコンタクト−プラグソケット８８はソケットケーシング８６内でロックタブ９４によって保持されている。
【００２７】
図１２には、プラグコネクタの変化実施例が示されている。この変化例は、図１から図１１に示した実施例とは異なり、ケーブルガイド２２が、フィルムヒンジ３２とは反対側で支持突起９６を備えており、この支持突起９６は、パワーコンタクト構造群がプラグケーシング１２内に組み付けられた時に、プラグケーシング１２内で支持リブ９８に当接する。このような形式でケーブルガイド２２は、パワーコンタクトケーシングとケーブルガイドとの間で係止接続を形成する必要なしに、図１２に示した位置で確実に保持される。
【図面の簡単な説明】
【図１】本発明によるプラグコネクタの側面図である。
【図２】プラグの差込み側から見た図である。
【図３】プラグソケットの差込み側から見た図である。
【図４】図４ａはパワーコンタクト構造群のケーシングの下から見た図、図４ｂは横から見た図、図４ｃは断面図、図４ｄは正面図である。
【図５】図５ａは図４に示したケーシングの縦断面図、図５ｂは側面図、図５ｃは横断面図、図５ｄは、上方に折り畳まれたケーブルガイドを有し、この場合ケーシング内に圧接結線が配置されている、正面図である。
【図６】図６ａ、図６ｂ、図６ｃ、図６ｄ、図６ｅ、図６ｆは、図５に示したケーシングの、ケーブルを圧接結線に接続する際の異なる段階における状態を示す図である。
【図７】図７ａ、図７ｂ、図７ｃ、図７ｄ、図７ｅは、シグナルコンタクト構造群の、シグナル伝達ケーブルを接続する際の異なる段階における状態を示す図である。
【図８】図８ａ、図８ｂ、図８ｃは、シグナルコンタクト構造群を有するプラグ部及びパワーコンタクト構造群の、組立中における２つの異なる段階における状態を示す図である。
【図９】図３のＩＸ−ＩＸ線に沿った、プラグコネクタの断面図である。
【図１０】図９のＸ−Ｘ線に沿った断面図である。
【図１１】図９のＸＩ−ＸＩ線に沿った断面図である。
【図１２】プラグコネクタの変化例を示す、図９に相当する図である。
【符号の説明】
５  プラグコネクタ、  ６  ケーブル、  ７  装置、  １０  プラグ、１２  プラグケーシング、  １４  パワーコンタクト、  １６  パワーコンタクト構造群、  １８  パワーコンタクトケーシング、  ２０  コンタクト室、  ２２  ケーブルガイド、  ２４  ケーブル受容開口、  ２６  ストッパ、  ２８  引張負荷軽減溝、  ３０  切欠、  ３２  フィルムヒンジ、  ３６  圧接コンタクト、３８  プラグ区分、  ４０  対抗受け、  ４２  パワー伝達心線、  ４４  工具、  ４６  シグナルコンタクト構造群、  ４８  シグナルコンタクト、  ５０シグナルコンタクトケーシング、  ５２  受容室、  ５４  圧接結線、  ５６ケーブルガイド部、  ５８  ケーブルガイド開口、  ６０  シグナル伝達心線、  ６２  スリット、  ６４  固定ねじ、  ６６  シールド、  ６８  圧縮ばね、  ７０  カバー、  ７２  折り畳みタブ、  ７４  コンタクトタブ、  ７６  遮蔽編組、  ７８  係止タブ、  ７９  ヶぶる固定部、  ８０  プラグソケット、  ８２  ねじ、  ８４  ロックレバー、  ８６  ソケットケーシング、  ８８シグナルコンタクト−プラグソケット、  ９０  コンタクトばね構造群、  ９２  プリント基板、  ９４  ロックタブ、  ９６  支持突起、  ９８  支持リブ
【図１】
0003697231.tif 000002
【図２】
0003697231.tif 000003
【図３】
0003697231.tif 000004
【図４】
0003697231.tif 000005
【図５】
0003697231.tif 000006
【図６】
0003697231.tif 000007
【図７】
0003697231.tif 000008
【図８】
0003697231.tif 000009
【図９】
0003697231.tif 000010
【図１０】
0003697231.tif 000011
【図１１】
0003697231.tif 000012
【図１２】
0003697231.tif 000013